(57)【要約】【課題】経年変化による変形防止や剛性向上が図れかつワイヤハーネス組み立て時の挿入力を低減することができる防水栓を提供する。【解決手段】コネクタハウジング４の端子収容室４１内に収容された端子金具５に接続された電線６の外周に取り付けられるとともに端子収容室４１の内面と電線６との間を水密に保つ防水栓１は、筒状の本体部３０と、該本体部３０の内面及び外面から突出するとともに該本体部３０の全周に亘って設けられた複数のリップ３１，３２と、を有する弾性材料で構成された防水部３と、筒状の第１筒状部２０及び第２筒状部２１と、該第２筒状部の一端から該第２筒状部２１の軸方向に沿って延びるとともに該第２筒状部２１の周方向に沿って互いに間隔をあけて設けられかつ本体部３０内に埋設された複数の埋設部２２と、を有する合成樹脂で構成された樹脂部２と、を有している。【選択図】図２
2010205656.tif 000002
【特許請求の範囲】
【請求項１】
コネクタハウジングの端子収容室内に収容された端子金具に接続された電線の外周に取り付けられるとともに前記端子収容室の内面と前記電線との間を水密に保つ防水栓であって、
（イ）筒状の本体部と、該本体部の内面及び外面から突出するとともに該本体部の全周に亘って設けられた複数のリップと、を有する弾性材料で構成された防水部と、
（ロ）筒状の筒状部と、該筒状部の一端から該筒状部の軸方向に沿って延びるとともに該筒状部の周方向に沿って互いに間隔をあけて設けられかつ前記本体部内に埋設された複数の埋設部と、を有する合成樹脂で構成された樹脂部と、を有していることを特徴とする防水栓。
【請求項２】
端子収容室を有するコネクタハウジングと、電線と、該電線の端末に接続されかつ前記端子収容室内に収容された端子金具と、前記電線の外周に取り付けられるとともに前記端子収容室の内面と前記電線との間を水密に保つ防水栓と、を有するワイヤハーネスであって、
前記防水栓が、
（イ）筒状の本体部と、該本体部の内面及び外面から突出するとともに該本体部の全周に亘って設けられた複数のリップと、を有する弾性材料で構成された防水部と、
（ロ）筒状の筒状部と、該筒状部の一端から該筒状部の軸方向に沿って延びるとともに該筒状部の周方向に沿って互いに間隔をあけて設けられかつ前記本体部内に埋設された複数の埋設部と、を有する合成樹脂で構成された樹脂部と、を有していることを特徴とするワイヤハーネス。
【発明の詳細な説明】
【技術分野】
【０００１】
本発明は、ワイヤハーネスを構成するコネクタハウジングの端子収容室内において、該端子収容室の内面と電線との間を水密に保つ防水栓、及び、該防水栓を有するワイヤハーネスに関するものである。
【背景技術】
【０００２】
上記ワイヤハーネスは、合成樹脂製のコネクタハウジングと、電線と、この電線の端末に接続されかつ前記コネクタハウジングの端子収容室内に収容された端子金具と、を有している。このワイヤハーネスは、前記コネクタハウジングが相手側のコネクタハウジングに嵌合し、当該コネクタハウジング内の端子金具が相手側のコネクタハウジング内の端子金具と電気的に接続される。
【０００３】
また、前述したワイヤハーネスとして、前記端子収容室の内面と電線との間を水密に保って前記端子収容室内に水などが浸入することを防止する防水栓をさらに有したものがある（例えば特許文献１を参照。）。
【０００４】
図１０は従来の防水栓の問題点を説明する説明図である。同図に示す防水栓１０１は、弾性材料で構成された防水部１０３と、合成樹脂で構成された樹脂部１０２と、を有している。前記防水部１０３は、筒状の本体部１３０と、本体部１３０の内面及び外面から突出するとともに本体部１３０の全周に亘って設けられた複数のリップ１３１，１３２と、を有している。また、前記樹脂部１０２は、本体部１３０内に埋設された筒状の埋設部１２１と、本体部１３０外に露出した露出部１２０と、を有している。
【０００５】
このような構成の防水栓１０１は、本体部１３０の内側に電線１０６が挿通される格好で電線１０６の外周に取り付けられた後に、この電線１０６とともにコネクタハウジングの端子収容室内に収容される。また、この防水栓１０１は、リップ１３１が前記端子収容室の内面に当接して潰れることで該内面との間を水密に保ち、リップ１３２が電線１０６に当接して潰れることで該電線１０６との間を水密に保つ。また、前述した樹脂部１０２は、防水部１０３の経年変化による変形防止や防水部１０３の剛性向上のために設けられている。
【先行技術文献】
【特許文献】
【０００６】
【特許文献１】特開２００６−３２１９９号公報
【発明の概要】
【発明が解決しようとする課題】
【０００７】
しかしながら、前述した従来の防水栓１０１は、以下に示す問題があった。即ち、図１０に示すように、電線１０６を本体部１３０の内側に通す際、電線１０６がリップ１３２の先端に当たると、このリップ１３２は防水部１０３の外側に撓もうとする。ところが、埋設部１２１がリップ１３２の外側に撓もうとする力を押し返すために、リップ１３２と電線１０６との摩擦力が高くなり、そのために、電線１０６を本体部１３０の内側に通す際の挿入力が高くなってしまうという問題があった。
【０００８】
そこで、本発明は、上記のような問題点に着目し、経年変化による変形防止や剛性向上が図れかつワイヤハーネス組み立て時の挿入力を低減することができる防水栓、及び、該防水栓を有するワイヤハーネスを提供することを目的とする。
【課題を解決するための手段】
【０００９】
上記目的を達成するために請求項１に記載された発明は、コネクタハウジングの端子収容室内に収容された端子金具に接続された電線の外周に取り付けられるとともに前記端子収容室の内面と前記電線との間を水密に保つ防水栓であって、（イ）筒状の本体部と、該本体部の内面及び外面から突出するとともに該本体部の全周に亘って設けられた複数のリップと、を有する弾性材料で構成された防水部と、（ロ）筒状の筒状部と、該筒状部の一端から該筒状部の軸方向に沿って延びるとともに該筒状部の周方向に沿って互いに間隔をあけて設けられかつ前記本体部内に埋設された複数の埋設部と、を有する合成樹脂で構成された樹脂部と、を有していることを特徴とする防水栓である。
【００１０】
請求項２に記載された発明は、端子収容室を有するコネクタハウジングと、電線と、該電線の端末に接続されかつ前記端子収容室内に収容された端子金具と、前記電線の外周に取り付けられるとともに前記端子収容室の内面と前記電線との間を水密に保つ防水栓と、を有するワイヤハーネスであって、前記防水栓が、（イ）筒状の本体部と、該本体部の内面及び外面から突出するとともに該本体部の全周に亘って設けられた複数のリップと、を有する弾性材料で構成された防水部と、（ロ）筒状の筒状部と、該筒状部の一端から該筒状部の軸方向に沿って延びるとともに該筒状部の周方向に沿って互いに間隔をあけて設けられかつ前記本体部内に埋設された複数の埋設部と、を有する合成樹脂で構成された樹脂部と、を有していることを特徴とするワイヤハーネスである。
【発明の効果】
【００１１】
請求項１に記載された発明によれば、（イ）筒状の本体部と、該本体部の内面及び外面から突出するとともに該本体部の全周に亘って設けられた複数のリップと、を有する弾性材料で構成された防水部と、（ロ）筒状の筒状部と、該筒状部の一端から該筒状部の軸方向に沿って延びるとともに該筒状部の周方向に沿って互いに間隔をあけて設けられかつ前記本体部内に埋設された複数の埋設部と、を有する合成樹脂で構成された樹脂部と、を有しているので、電線を本体部の内側に通す際、リップの埋設部間に位置する部分は本体部の外側に撓むことができ、そのために、リップと電線との摩擦力を全体としては低減することができる。よって、経年変化による変形防止や剛性向上が図れかつワイヤハーネス組み立て時の挿入力を低減することができる防水栓を提供することができる。
【００１２】
請求項２に記載された発明によれば、（イ）筒状の本体部と、該本体部の内面及び外面から突出するとともに該本体部の全周に亘って設けられた複数のリップと、を有する弾性材料で構成された防水部と、（ロ）筒状の筒状部と、該筒状部の一端から該筒状部の軸方向に沿って延びるとともに該筒状部の周方向に沿って互いに間隔をあけて設けられかつ前記本体部内に埋設された複数の埋設部と、を有する合成樹脂で構成された樹脂部と、を有しているので、電線を本体部の内側に通す際、リップの埋設部間に位置する部分は本体部の外側に撓むことができ、そのために、リップと電線との摩擦力を全体としては低減することができる。よって、経年変化による変形防止や剛性向上が図れかつワイヤハーネス組み立て時の挿入力を低減することができる防水栓を有するワイヤハーネスを提供することができる。
【図面の簡単な説明】
【００１３】
【図１】本発明の一実施の形態にかかる防水栓を有するワイヤハーネスを示す斜視図である。
【図２】図１中のＡ−Ａ線に沿った断面図である。
【図３】図１に示された防水栓の斜視図である。
【図４】図３中のＢ−Ｂ線に沿った断面図である。
【図５】図３に示された防水栓を構成する防水部のみを示す斜視図である。
【図６】図３に示された防水栓を構成する樹脂部のみを示す斜視図である。
【図７】図６に示された樹脂部を他の角度から見た斜視図である。
【図８】図３に示された防水栓を電線に取り付ける様子を説明する説明図である。
【図９】図８中のＣ−Ｃ線に沿った断面図である。
【図１０】従来の防水栓の問題点を説明する説明図である。
【発明を実施するための形態】
【００１４】
以下、本発明の一実施の形態にかかる防水栓、及び、前記防水栓を有するワイヤハーネスを図１ないし図９を参照しながら説明する。図１は本発明の一実施の形態にかかる防水栓を有するワイヤハーネスを示す斜視図である。図２は図１中のＡ−Ａ線に沿った断面図である。図３は図１に示された防水栓の斜視図である。図４は図３中のＢ−Ｂ線に沿った断面図である。図５は図３に示された防水栓を構成する防水部のみを示す斜視図である。図６は図３に示された防水栓を構成する樹脂部のみを示す斜視図である。図７は図６に示された樹脂部を他の角度から見た斜視図である。図８は図３に示された防水栓を電線に取り付ける様子を説明する説明図である。図９は図８中のＣ−Ｃ線に沿った断面図である。
【００１５】
図１及び図２に示すように、本発明の防水栓１は、ワイヤハーネス１０を構成するコネクタハウジング４の端子収容室４１内において、該端子収容室４１の内面と電線６との間を水密に保つためのものである。
【００１６】
上記ワイヤハーネス１０は、端子収容室４１を有する合成樹脂製のコネクタハウジング４と、電線６と、該電線６の端末に接続されかつ前記端子収容室４１内に収容された端子金具５と、前記電線６の外周に取り付けられるとともに前記端子収容室４１の内面と前記電線６との間を水密に保つ防水栓１と、端子金具５が端子収容室４１から抜け出ることを防止するホルダ７と、を有している。
【００１７】
上記電線６は、図８に示すように、導電性の芯線６１の外周が絶縁被覆６２で覆われた、断面丸型の被覆電線である。また、電線６は、端末の絶縁被覆６２が皮剥き処理されることにより芯線６１が露出している。
【００１８】
上記端子金具５は、導電性の金属板にプレス加工が施されて得られるものであり、平板状の平板部５０と、この平板部５０の一端に設けられた穴５１と、平板部５０の他端に設けられた一対の固定片５３と、この固定片５３と穴５１との間に設けられた一対の接続片５２と、を有している。前記穴５１が設けられた平板部５０の一端は、図示しない相手側の端子金具と電気的に接続される。前記一対の固定片５３は、平板部５０の幅方向の両端部から立設しており、電線６の端末部分の絶縁被覆６２を圧着する。前記一対の接続片５２は、平板部５０の幅方向の両端部から立設しており、電線６の端末部分の露出した芯線６１を圧着することでこの芯線６１と電気的に接続される。
【００１９】
上記防水栓１は、図３ないし図７に示すように、弾性材料としての合成ゴムで構成された防水部３と、合成樹脂で構成された樹脂部２と、を有している。
【００２０】
上記防水部３は、図４に示すように、円筒状の本体部３０と、本体部３０の内面から突出するとともに本体部３０の全周に亘って設けられた複数のリップ３２と、本体部３０の外面から突出するとともに本体部３０の全周に亘って設けられた複数のリップ３１と、を一体に有している。
【００２１】
このような防水部３は、端子収容室４１内に位置付けられた状態において、図２中の実線で示すように、複数のリップ３２が電線６の外周に密着し、複数のリップ３１が端子収容室４１の内面に密着して、端子収容室４１の内面と電線６との間を水密に保つ。また、図２中の一点鎖線は、防水部３の弾性変形前の形状を示している。
【００２２】
上記樹脂部２は、図６及び図７に示すように、「筒状部」としての第１筒状部２０及び第２筒状部２１と、複数の埋設部２２と、を一体に有している。前記第１筒状部２０は、円筒状に形成されている。前記第２筒状部２１は、第１筒状部２０の一端に連なり、円筒状に形成されている。また、第２筒状部２１は、外径が第１筒状部２０の外径よりも大きく形成されている。また、第１筒状部２０及び第２筒状部２１は同軸上に配されている。前記複数の埋設部２２は、第２筒状部２１の第１筒状部２０から離れた一端から該第２筒状部２１の軸方向に沿って延びるとともに該第２筒状部２１の周方向に沿って互いに等間隔をあけて設けられている。各々の埋設部２２は、軒樋状に形成されている。また、本実施形態では、埋設部２２は一対設けられている。
【００２３】
このような樹脂部２は、図３及び図４に示すように、第２筒状部２１と複数の埋設部２２とが本体部３０の軸方向端部に埋設され、第１筒状部２０が本体部３０外に露出している。即ち、防水栓１は、インサート品としての樹脂部２が防水部３用の金型内に挿入されることによるインサート成形によって製造されている。また、第１筒状部２０と第２筒状部２１と本体部３０とは同軸上に配されている。また、樹脂部２は、防水部３の経年変化による変形防止や防水部３の剛性向上のために設けられている。
【００２４】
上記ホルダ７は、合成樹脂で構成されており、図１及び図２に示すように、端子収容室４１内に位置付けられる押さえ部７０と、端子収容室４１外に位置付けられ、コネクタハウジング４の外表面に設けられた突起４２に係止する枠状の一対の係止部７１と、を有している。
【００２５】
前述したワイヤハーネス１０は、以下のように組み立てられる。まず、防水栓１の内側に電線６が通された後に端末の絶縁被覆６２が皮剥き処理されて芯線６１が露出される。そして、この電線６の端末に端子金具５が取り付けられる。その後、図８及び図９中の矢印Ｄで示すように、防水栓１が電線６の端末側に移動される。そして、この端子付き電線６が端子収容室４１内に挿入され、続いてホルダ７の押さえ部７０が端子収容室４１内に挿入されかつ一対の係止部７１がコネクタハウジング４の突起４２に係止して、ワイヤハーネス１０が組み立てられる。
【００２６】
このようなワイヤハーネス１０の組み立て時において、本発明では、前述したように防水栓１の内側に電線６を通す際、及び、防水栓１を矢印Ｄに沿って電線６の端末側に移動させる際、図９に示すように、複数のリップ３２の埋設部２２間に位置する部分、即ち埋設部２２が設けられていない部分、は本体部３０の外側に撓むことができる（リップ３２の撓み方向を矢印Ｅで示す。）。そのために、複数のリップ３２と電線６との摩擦力を全体としては低減することができる。よって、防水部３の経年変化による変形防止や剛性向上が図れかつワイヤハーネス組み立て時の挿入力を低減することができる防水栓１、及び、この防水栓１を有するワイヤハーネス１０を提供することができる。
【００２７】
さらに、本発明のワイヤハーネス１０は、図２に示すように、防水栓１及びホルダ７によって端子金具５が端子収容室４１内に保持される構成であり、端子金具５には、コネクタハウジング４への係止構造が設けられていないことから、この端子金具５をコネクタハウジング４から容易に取り外すことができる。即ち、本発明のワイヤハーネス１０は、分解性、リサイクル性に優れている。
【００２８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２９】
１  防水栓
２  樹脂部
３  防水部
４  コネクタハウジング
５  端子金具
６  電線
１０  ワイヤハーネス
２０  第１筒状部（筒状部）
２１  第２筒状部（筒状部）
２２  埋設部
３０  本体部
３１，３２  リップ
４１  端子収容室
【図１】
2010205656.tif 000003
【図２】
2010205656.tif 000004
【図３】
2010205656.tif 000005
【図４】
2010205656.tif 000006
【図５】
2010205656.tif 000007
【図６】
2010205656.tif 000008
【図７】
2010205656.tif 000009
【図８】
2010205656.tif 000010
【図９】
2010205656.tif 000011
【図１０】
2010205656.tif 000012